(57)【要約】【課題】浴室内の明るさを確保しつつ、人に眩しさを感じさせることが抑制される照明装置を提供すること。【解決手段】浴室１に設けられ、天井４及び一対の対向する側壁３１，３１により形成される一対の入隅部５０，５０に配置される一対の照明部６０，６０を備える照明装置６であって、照明部６０は、長尺のケーシング部材６１と、ケーシング部材６１の内部に配置され、ケーシング部材６１の長手方向Ｙに並んで配置される発光部材６２２を有する光源部６２と、を備え、光源部６２は、ケーシング部材６１を長手方向Ｙに視た場合に、発光部材６２２が、垂直方向に対して傾斜する斜め方向に光を照射する位置に配置される。【選択図】図２
2017091828.tif 000002
【特許請求の範囲】
【請求項１】
浴室に設けられ、天井及び一対の対向する側壁により形成される一対の入隅部に配置される一対の照明部を備える照明装置であって、
前記照明部は、
長尺のケーシング部材と、
前記ケーシング部材の内部に配置され、発光部材を有する光源部と、を備え、
前記光源部は、前記ケーシング部材を長手方向に視た場合に、前記発光部材が、垂直方向に対して傾斜する斜め方向に光を照射する位置に配置される照明装置。
【請求項２】
前記照明部は、前記入隅部における前記天井側に配置され、
前記光源部は、前記発光部材が、前記一対の入隅部における前記照明部が配置される前記入隅部側の側壁とは反対側に向けて光を照射する位置に配置される請求項１に記載の照明装置。
【請求項３】
前記照明部は、前記入隅部における前記天井側に配置され、
前記光源部は、前記発光部材が、前記一対の入隅部における前記照明部が配置される前記入隅部側の側壁に向けて光を照射する位置に配置される請求項１に記載の照明装置。
【請求項４】
前記照明部は、前記入隅部における前記側壁側に配置される請求項１に記載の照明装置。
【発明の詳細な説明】
【技術分野】
【０００１】
本発明は、浴室に設けられる照明装置に関する。
【背景技術】
【０００２】
従来、浴室に設けられる照明装置において、天井と側壁とにより形成される一方側の入隅部にのみ１つの長尺照明部が配置される技術が知られている（例えば、特許文献１参照）。特許文献１に記載の技術においては、長尺照明部の光源部は、水平方向を向いており、偏向板を用いて、光を水平方向及び斜め下方向の２方向に照射するように構成されている。
【先行技術文献】
【特許文献】
【０００３】
【特許文献１】特開２０１５−９２０５９号公報
【発明の概要】
【発明が解決しようとする課題】
【０００４】
特許文献１に記載の照明装置においては、偏向板を用いて２方向に光を照射しているため、光の照射が弱くなりがちである。また、特許文献１に記載された照明装置においては、１つの長尺照明部が一方側の入隅部にのみ配置されているため、１つの長尺照明部における光源部から照射される光だけでは、浴室内の明るさを確保できない可能性がある。一方、１つの長尺照明部における光源部から照射される光の照度を上げると、光源部からの光が人の目に入って、人に眩しさを感じさせる虞がある。
【０００５】
本発明は、浴室内の明るさを確保しつつ、人に眩しさを感じさせることが抑制される照明装置を提供することを目的とする。
【課題を解決するための手段】
【０００６】
本発明は、浴室に設けられ、天井及び一対の対向する側壁により形成される一対の入隅部に配置される一対の照明部を備える照明装置であって、前記照明部は、長尺のケーシング部材と、前記ケーシング部材の内部に配置され、発光部材を有する光源部と、を備え、前記光源部は、前記ケーシング部材を長手方向に視た場合に、前記発光部材が、垂直方向に対して傾斜する斜め方向に光を照射する位置に配置される照明装置に関する。
【０００７】
また、前記照明部は、前記入隅部における前記天井側に配置され、前記光源部は、前記発光部材が、前記一対の入隅部における前記照明部が配置される前記入隅部側の側壁とは反対側に向けて光を照射する位置に配置されることが好ましい。
【０００８】
また、前記照明部は、前記入隅部における前記天井側に配置され、前記光源部は、前記発光部材が、前記一対の入隅部における前記照明部が配置される前記入隅部側の側壁に向けて光を照射する位置に配置されることが好ましい。
【０００９】
また、前記照明部は、前記入隅部における前記側壁側に配置されることが好ましい。
【発明の効果】
【００１０】
本発明によれば、浴室内の明るさを確保しつつ、人に眩しさを感じさせることが抑制される照明装置を提供することができる。
【図面の簡単な説明】
【００１１】
【図１】本発明の第１実施形態に係る照明装置６が設置された浴室１を示す斜視図である。
【図２】第１実施形態に係る照明装置６の一対の長尺照明部６０，６０が入隅部５０の天井４側に配置され、光源部６２が浴室１の左右方向の内側に光を照射した場合を示す断面図である。
【図３】第２実施形態に係る照明装置６Ａの一対の長尺照明部６０Ａ，６０Ａが入隅部５０の天井４側に配置され、光源部６２が浴室１の左右方向の外側に光を照射した場合を示す断面図である。
【図４】第３実施形態に係る照明装置６Ｂの一対の長尺照明部６０Ｂ，６０Ｂが入隅部５０の第１側壁３１側に配置され、光源部６２が斜め下方側に光を照射した場合を示す断面図である。
【図５】第４実施形態に係る照明装置６Ｃの一対の長尺照明部６０Ｃ，６０Ｃが入隅部５０の第１側壁３１側に配置され、光源部６２が斜め上方側に光を照射した場合を示す断面図である。
【発明を実施するための形態】
【００１２】
以下、本発明の照明装置６を含む浴室１の第１実施形態について、図面を参照しながら説明する。なお、本実施形態の説明においては、洗い場パン２１及び浴槽２２が並ぶ方向を前後方向といい、浴槽２２が延びる方向を左右方向という。
【００１３】
図１に示すように、本実施形態の浴室１は、洗い場パン２１と、浴槽２２と、壁部３と、照明装置６を含んで構成される天井４と、調光操作部２３と、を備える。
洗い場パン２１及び浴槽２２は、浴室１の下部において、浴室１の前後方向に並んで配置される。浴室１の底部（洗い場パン２１及び浴槽２２が配置される部分）の形状は、平面視で、全体として長方形状である。
【００１４】
洗い場パン２１は、浴室１の下部の前方側に配置され、略水平方向に平面状に広がるように配置される。洗い場パン２１は、浴室１の洗い場を構成する。
浴槽２２は、浴室１の下部の後方側に配置される。
【００１５】
壁部３は、浴室１の４つの側面を構成する。壁部３は、一対の第１側壁（側壁）３１，３１及び一対の第２側壁３２，３２により構成される。
一対の第１側壁３１，３１は、板部材により形成され、互いに対向して配置される。一対の第１側壁３１，３１は、それぞれ、浴室１の底部の左右方向に離間した前後方向に延びる端辺から、上方に立ち上がる。一対の第１側壁３１，３１は、浴室１の前後方向に延びる。
【００１６】
一対の第２側壁３２，３２は、板部材により形成され、一対の第１側壁３１，３１に直交して、互いに対向して配置される。一対の第２側壁３２，３２は、それぞれ、浴室１の底部の前後方向に離間した左右方向に延びる端辺から、上方に立ち上がる。一対の第２側壁３２，３２は、浴室１の左右方向に延びる。
【００１７】
天井４は、浴室１の天面を構成する。天井４は、２枚の天井材４１と、照明装置６と、により構成される。２枚の天井材４１，４１は、水平方向に広がる長方形の板状に形成される。２枚の天井材４１，４１は、浴室１の天部において、浴室１の前後方向に並んで配置される。
【００１８】
２枚の天井材４１，４１は、図２に示すように、鋼板部分４１１と石膏ボード部分４１２とを有する。鋼板部分４１１は、略Ｌ形状の板材により形成された屈曲板部４１１ａと、屈曲板部４１１ａに連続して略水平に延びる載置板部４１１ｂと、を有する。石膏ボード部分４１２は、厚みを有する板状に形成され、鋼板部分４１１の載置板部４１１ｂの上部に配置される。
【００１９】
照明装置６は、天井４の一部を構成すると共に、浴室１内を照明する機能を有する。照明装置６は、一対の長尺照明部（照明部）６０，６０により構成され、一対の長尺照明部６０，６０は、浴室１における一対の入隅部５０，５０に配置される。
【００２０】
一対の入隅部５０，５０は、天井４の隅において天井４と一対の第１側壁３１，３１とにより形成される部分である。一対の入隅部５０，５０は、天井材４１の下面と第１側壁３１，３１の側面とが交差する部分の内側の隅の部分である。
【００２１】
本実施形態においては、一対の長尺照明部６０，６０は、ユニット化されており、浴室１に設置される前にユニットとして組み立てられ、取付金具６０１を介して第１側壁３１の上端部に載置されてネジ部材６０１ａよりに固定されることで、浴室１の入隅部５０に設置され、天井４となる。取付金具６０１は、浴室１の４辺のポスト（図示せず）に取り付けられた天井つなぎ材６０５にネジ部材６０１ｂにより取り付けられている。
２枚の天井材４１，４１は、一対の長尺照明部６０が入隅部５０に設置された後に、一対の長尺照明部６０に取り付けられることで、天井４となる。
【００２２】
次に、一対の長尺照明部６０，６０の構成について詳述する。
一対の長尺照明部６０，６０は、それぞれ、浴室１の一対の入隅部５０に配置される。一対の長尺照明部６０，６０は、それぞれ、入隅部５０における天井４側に配置される。長尺照明部６０は、線状に光を照射する、いわゆる、ライン照明を構成する。一対の長尺照明部６０．６０は、図１に示すように、それぞれ、浴室１の前後方向に延びる。一対の長尺照明部６０，６０は、天井４の前方側の端部から後方側の端部に亘って延びる。一対の長尺照明部６０，６０は、浴室１の左右方向において対称となるように配置される。
【００２３】
一対の長尺照明部６０は、図２に示すように、それぞれ、ケーシング部材６１と、光源部６２と、透光部材６３と、を備える。
【００２４】
ケーシング部材６１は、長尺に形成され、浴室１の前後方向に延びる。ケーシング部材６１は、本実施形態においては、正面及び両端の側面が開放したケース状に形成される。ケーシング部材６１は、浴室１の内部側ではなく、浴室１の外方に位置するように配置されている。
【００２５】
なお、以下の説明において、ケーシング部材６１が延びる方向を「長手方向Ｙ」もいう。ケーシング部材６１の長手方向Ｙは、浴室１の前後方向と一致する。
【００２６】
ケーシング部材６１は、正面開口部６１１を有する。
正面開口部６１１は、ケーシング部材６１の正面（浴室１の内部側に向く面）において、ケーシング部材６１の外側に向けて開口する開口部である。正面開口部６１１は、ケーシング部材６１の正面において、ケーシング部材６１の長手方向Ｙに沿って、ケーシング部材６１の全域に亘って延びる。
【００２７】
光源部６２は、図２に示すように、ケーシング部材６１の内部に配置される。光源部６２は、ＬＥＤ基板６２１と、複数のＬＥＤ６２２（Ｌｉｇｈｔ  Ｅｍｉｔｔｉｎｇ  Ｄｉｏｄｅ）（発光部材）と、を有する。
【００２８】
ＬＥＤ基板６２１は、ケーシング部材６１の長手方向Ｙに延びる。ＬＥＤ基板５１の上面には、複数のＬＥＤ６２２が実装されている。
複数のＬＥＤ６２２は、ＬＥＤ基板６２１の上面において、ケーシング部材６１の長手方向Ｙに沿って、所定間隔で直線状に並べられている。
【００２９】
光源部６２は、図２に示すように、ケーシング部材６１を長手方向Ｙに視た場合に、複数のＬＥＤ６２２が、垂直方向に対して傾斜する斜め方向に光を照射する位置に配置される。
本実施形態においては、一対の光源部６２は、それぞれ、複数のＬＥＤ６２２が、一対の入隅部５０，５０における長尺照明部６０が配置される入隅部５０側の第１側壁３１とは反対側の第１側壁３１に向けて光を照射する位置に配置される。言い換えると、一対の光源部６２，６２は、入隅部５０における天井４側から、浴室１の左右方向において対称となるように、それぞれ、浴室１の左右方向の内側の斜め下方に向けて光を照射する。
【００３０】
透光部材６３は、ケーシング部材６１の長手方向Ｙに沿って延びるように形成される。透光部材６３は、ケーシング部材６１の正面開口部６１１に配置された状態で、ケーシング部材６１に取り付けられる。透光部材６３は、例えば、アクリル樹脂又はポリカーボネート樹脂などの樹脂材料で形成される。透光部材６３は、複数のＬＥＤ６２２（光源部６２）からの光を透過する。
【００３１】
調光操作部２３は、図１に示すように、壁部３に配置されている。調光操作部２３は、照明装置６の調光を行うための操作部である。一対の長尺照明部６０，６０は、制御部（図示せず）に接続されており、使用者が調光操作部２３を操作することで、制御部に操作信号が送信されて、一対の長尺照明部６０，６０の光の調整を行うことができる。一対の長尺照明部６０，６０について、交互に又は同時に、徐々に暗くしたり明るくしたりすることで、浴室１内の演出効果を高めることができる。
【００３２】
以上説明した本実施形態の照明装置６によれば、以下のような効果を奏する。
本実施形態の照明装置６は、浴室１に設けられ、天井４及び一対の対向する側壁３１，３１により形成される一対の入隅部５０，５０に配置される一対の長尺照明部６０，６０を備える照明装置６であって、長尺照明部６０は、長尺のケーシング部材６１と、ケーシング部材６１の内部に配置され、ケーシング部材６１の長手方向Ｙに並んで配置される複数の発光部材６２２を有する光源部６２と、を備え、光源部６２は、ケーシング部材６１を長手方向Ｙに視た場合に、複数の発光部材６２２が、垂直方向に対して傾斜する斜め方向に光を照射する位置に配置される。
【００３３】
そのため、一対の入隅部５０，５０に配置される一対の長尺の長尺照明部６０，６０からの光により、浴室１の左右方向の両側から光を照射して、浴室１内の明るさを確保することできる。また、複数の発光部材６２２が、垂直方向に対して傾斜する斜め方向に光を照射するため、人に眩しさを感じさせることが抑制される。
また、長尺照明部６０，６０が浴室１の外方に位置するように配置されているため、浴室１内に圧迫感のない状態で、浴室１内の明るさを確保することができる。
また、調光操作部２３により２本の長尺照明部６０，６０の明るさを調整して、浴室１の左右方向の両側において、様々な演出を行うことができる。
また、天井４の表面や壁部３の表面が光沢を有する場合には、長尺照明部６０，６０からの光が天井４の表面や壁部３の表面に反射されるため、長尺照明部６０，６０が長手方向に連続して延びるように見える。そのため、奥行感を感じさせることができ、浴室１内を広く感じさせることができる。
【００３４】
また、一対の長尺照明部６０，６０は、それぞれ、入隅部５０における天井４側に配置される。光源部６２は、ケーシング部材６１の長手方向Ｙに視た場合に、複数のＬＥＤ６２２が、垂直方向に対して傾斜する斜め方向に光を照射する位置に配置される。
そのため、浴室１にいる人の視線が側壁３１，３１を向きやすいため、天井４側からの光は、人の目に直接的に入りにくい。これにより、一対の長尺照明部６０，６０が入隅部５０における天井４側に配置される場合には、人に眩しさを感じさせることを一層抑制することができる。
【００３５】
次に、本発明の第２実施形態に係る照明装置６Ａについて説明する。第２実施形態に係る照明装置６Ａは、第１実施形態に係る照明装置６と比べて、複数の発光部材６２２が光を照射する方向が主に異なる。第２実施形態の説明にあたって、第１実施形態の構成と同一の構成については同一符号を付し、その説明を省略もしくは簡略化する。
【００３６】
図３に示すように、第２実施形態の照明装置６Ａの一対の長尺照明部６０Ａ，６０Ａは、それぞれ、入隅部５０における天井４側に配置される。一対の長尺照明部６０Ａ，６０Ａは、浴室１の左右方向において対称となるように配置される。
【００３７】
光源部６２は、ケーシング部材６１の長手方向Ｙに視た場合に、複数のＬＥＤ６２２が、垂直方向に対して傾斜する斜め方向に光を照射する位置に配置される。
本実施形態においては、一対の光源部６２は、それぞれ、複数のＬＥＤ６２２が、一対の入隅部５０，５０における長尺照明部６０が配置される入隅部５０側の第１側壁３１に向けて光を照射する位置に配置される。言い換えると、一対の光源部６２，６２は、入隅部５０における天井４側から、浴室１の左右方向において対称となるように、それぞれ、浴室１の左右方向の外側の斜め下方に向けて光を照射する。
【００３８】
一対の光源部６２は、一対の第１側壁３１，３１に光を一度照射してから、一対の第１側壁３１，３１からの反射光により浴室１内を間接的に照明する、いわゆる、間接照明を実現する。また、一対の長尺照明部６０Ａ，６０Ａは、浴室１の左右方向の両側から間接照明を行うことができる。
【００３９】
以上のように構成される第２実施形態においては、一対の長尺照明部６０Ａ，６０Ａは、それぞれ、入隅部５０における天井４側に配置される。光源部６２は、ケーシング部材６１の長手方向Ｙに視た場合に、複数のＬＥＤ６２２が、垂直方向に対して傾斜する斜め方向に光を照射する位置に配置される。
そのため、第２実施形態によれば、前述の第１実施形態と同様の効果を奏する。つまり、第２実施形態においては、浴室１内の明るさを確保しつつ、人に眩しさを感じさせることが抑制される。また、調光操作部２３により２本の長尺照明部６０Ａ，６０Ａの明るさを調整して、浴室１の左右方向の両側において、様々な演出を行うことができる。
更に、第２実施形態においては、浴室１の左右方向の両側から一対の長尺照明部６０Ａ，６０Ａで間接照明を行うことで、柔らかな光で浴室１内を照明して、穏やか、暖かみ、又は幻想的などの雰囲気を演出可能である。
【００４０】
次に、本発明の第３実施形態に係る照明装置６Ｂについて説明する。第３実施形態に係る照明装置６Ｂは、第１実施形態に係る照明装置６と比べて、長尺照明部６０Ｂ，６０Ｂの配置される位置及び複数の発光部材６２２が光を照射する方向が主に異なる。第３実施形態の説明にあたって、第１実施形態の構成と同一の構成については同一符号を付し、その説明を省略もしくは簡略化する。
【００４１】
図４に示すように、第３実施形態の照明装置６Ｂの一対の長尺照明部６０Ｂ，６０Ｂは、それぞれ、入隅部５０における第１側壁３１側に配置される。一対の長尺照明部６０Ｂ，６０Ｂは、浴室１の左右方向において対称となるように配置される。第３実施形態の照明装置６Ｂの一対の長尺照明部６０Ｂ，６０Ｂは、それぞれ、取付金具６０２を介して第１側壁３１の上端部にネジ部材６０２ａにより取り付けられている。
【００４２】
光源部６２は、ケーシング部材６１の長手方向Ｙに視た場合に、複数のＬＥＤ６２２が、垂直方向に対して下方に傾斜する斜め方向に光を照射する位置に配置される。
本実施形態においては、一対の光源部６２は、それぞれ、一対の第１側壁３１，３１の内側の斜め下方に向けて光を照射する。言い換えると、一対の光源部６２，６２は、入隅部５０における第１側壁３１側から、浴室１の左右方向において対称となるように、それぞれ、浴室１の左右方向の内側の斜め下方に向けて光を照射する。
【００４３】
以上のように構成される第３実施形態においては、一対の長尺照明部６０Ｂ，６０Ｂは、それぞれ、入隅部５０における第１側壁３１側に配置される。光源部６２は、ケーシング部材６１の長手方向Ｙに視た場合に、複数のＬＥＤ６２２が、垂直方向に対して下方に傾斜する斜め方向に光を照射する位置に配置される。
【００４４】
そのため、長尺照明部６０Ｂ，６０Ｂの光の照射角度を、水平方向に近い傾斜角度まで設定できる。これにより、長尺照明部６０Ｂ，６０Ｂを、より広い角度の範囲に設置できる。これにより、長尺照明部６０Ｂ，６０Ｂの配置の自由度を向上させることができる。
また、前述の第１実施形態と同様の効果を奏する。つまり、第３実施形態においては、浴室１内の明るさを確保しつつ、人に眩しさを感じさせることが抑制される。また、調光操作部２３により２本の長尺照明部６０Ｂ，６０Ｂの明るさを調整して、浴室１の左右方向の両側において、様々な演出を行うことができる。
【００４５】
次に、本発明の第４実施形態に係る照明装置６Ｃについて説明する。第４実施形態に係る照明装置６Ｃは、第３実施形態に係る照明装置６Ｂと比べて、複数の発光部材６２２が光を照射する方向が主に異なる。第４実施形態の説明にあたって、第３実施形態の構成と同一の構成については同一符号を付し、その説明を省略もしくは簡略化する。
【００４６】
図５に示すように、第４実施形態の照明装置６Ｃの一対の長尺照明部６０Ｃ，６０Ｃは、第３実施形態と同様に、それぞれ、入隅部５０における第１側壁３１側に配置される。一対の長尺照明部６０Ｃ，６０Ｃは、浴室１の左右方向において対称となるように配置される。
【００４７】
光源部６２は、ケーシング部材６１の長手方向Ｙに視た場合に、複数のＬＥＤ６２２が、垂直方向に対して上方に傾斜する斜め方向に光を照射する位置に配置される。
本実施形態においては、一対の光源部６２は、それぞれ、一対の第１側壁３１，３１の内側の斜め上方に向けて光を照射する。言い換えると、一対の光源部６２，６２は、入隅部５０における第１側壁３１側から、浴室１の左右方向において対称となるように、それぞれ、浴室１の左右方向の内側の斜め上方に向けて光を照射する。一対の光源部６２は、天井４に光を一度照射してから、天井４からの反射光により浴室１内を間接的に照明する、いわゆる、間接照明を実現する。また、一対の長尺照明部６０Ｃ，６０Ｃは、浴室１の左右方向の両側から間接照明を行うことができる。
【００４８】
以上のように構成される第４実施形態においては、一対の長尺照明部６０Ｃ，６０Ｃは、それぞれ、入隅部５０における第１側壁３１側に配置される。光源部６２は、ケーシング部材６１の長手方向Ｙに視た場合に、複数のＬＥＤ６２２が、垂直方向に対して上方に傾斜する斜め方向に光を照射する位置に配置される。
そのため、前述の第１実施形態と同様の効果を奏する。つまり、第４実施形態においては、浴室１内の明るさを確保しつつ、人に眩しさを感じさせることが抑制される。また、調光操作部２３により２本の長尺照明部６０Ｃ，６０Ｃの明るさを調整して、浴室１の左右方向の両側において、様々な演出を行うことができる。
更に、第４実施形態においては、浴室１の左右方向の両側から一対の長尺照明部６０Ｃ，６０Ｃで間接照明を行うことで、柔らかな光で浴室１内を照明して、穏やか、暖かみ、又は幻想的などの雰囲気を演出可能である。
【００４９】
以上、本発明の照明装置の好ましい一実施形態について説明したが、本発明は、上述した実施形態に制限されるものではなく、適宜変更が可能である。
例えば、前記第１実施形態〜前記第４実施形態においては、一対の長尺照明部６０〜６０Ｃ，６０〜６０Ｃを、浴室１の左右方向において対称となるように配置し、光源部６２における光を照射する方向について浴室１の左右方向において対称となる同じ方向に傾斜させる構成としたが、これに限定されない。前記第１実施形態〜前記第４実施形態における浴室１の左右方向に離間する一方側及び他方側の長尺照明部６０〜６０Ｃ，６０〜６０Ｃについて、長尺照明部６０〜６０Ｃが配置される位置及び光源部６２における光を照射する方向について、全ての組み合わせを採用することができる。例えば、一方側の長尺照明部６０を入隅部５０における天井４側に配置し、他方側の長尺照明部６０〜６０Ｃを入隅部５０における壁部３側に配置してもよい。また、一方側の長尺照明部６０及び他方側の長尺照明部６０について、光源部６２における光を照射する方向を、浴室１の左右方向において対称とならないように、互いが異なる方向に光を照射するように構成してもよい。
【００５０】
また、前記第１実施形態〜前記第４実施形態においては、透光部材６３は、壁部３の表面や天井４の表面に対して、ほぼフラットになるように配置されているが、これに限定されない。例えば、透光部材６３は、壁部３の表面や天井４の表面に対して、傾斜して配置されていてもよい。
【００５１】
また、前記第１実施形態〜前記第４実施形態においては、光源部６２を、複数のＬＥＤ６２２とＬＥＤ基板６２１とを備えて構成したが、複数のＬＥＤ６２２とＬＥＤ基板６２１とだけで構成されなくてもよい。例えば、光源部は、１つのＬＥＤと導光部材とからなるものでもよい。この場合には、導光部材がＬＥＤからの光を導光して、導光部材自身が光を傾斜する方向へ照射してもよい。また、導光部材がＬＥＤからの導光することが可能であるため、ＬＥＤの数は、複数に限られず、１つであってもよい。
【００５２】
また、前記第１実施形態〜前記第４実施形態においては、長尺照明部に光源部を１つ設けたが、これに限定されない。例えば、長尺照明部が、第１の光源部と第２の光源部とを備える構成であって、第１の光源部が入隅部の天井側に配置され、第２の光源部が入隅部の側壁側に配置される構成であってもよい。
【符号の説明】
【００５３】
１  浴室
４  天井
６、６Ａ、６Ｂ、６Ｃ  照明装置
３１  第１側壁（側壁）
５０  入隅部
６０、６０Ａ、６０Ｂ、６０Ｃ  長尺照明部（照明部）
６１  ケーシング部材
６２  光源部
６２２  ＬＥＤ（発光部材）
Ｙ  長手方向
【図１】
2017091828.tif 000003
【図２】
2017091828.tif 000004
【図３】
2017091828.tif 000005
【図４】
2017091828.tif 000006
【図５】
2017091828.tif 000007